(57)【特許請求の範囲】
【請求項１】
平行四辺形の両流れ表面を備えた偏平山形状の瓦本体と、この瓦本体に設けた、前垂れを有する截頭三角形状の頭部と、前記瓦本体の表面角部の三方向を囲繞する曲面段付部と、で構成された隅棟に葺設される隅棟瓦であって、
前記前垂れの袖側裏面の係止爪を、前記曲面段付部の上隅角及び曲面に係合することで、上下方向の隣接する隅棟瓦の連係を図るとともに、前記曲面段付部の凹状の曲面により上昇力が付与された雨水を当該曲面段付部の外方に流下することを特徴とする隅棟瓦。
【請求項２】
平行四辺形の両流れ表面を備えた偏平山形状の瓦本体と、この瓦本体に設けた、前垂れを有する截頭三角形状の頭部と、前記瓦本体の表面角部の三方向を囲繞する曲面段付部と、前記瓦本体の頂上に設けた棟筋帯と、で構成された隅棟に葺設される隅棟瓦であって、
前記前垂れの袖側裏面の係止爪を、前記曲面段付部の上隅角及び曲面に係合することで、上下方向の隣接する隅棟瓦の連係を図るとともに、前記曲面段付部の凹状の曲面により上昇力が付与された雨水を当該曲面段付部の外方に流下することを特徴とする隅棟瓦。
【請求項３】
上記の瓦本体の尻側に水切り突条と水切り凹条を設ける構成とした請求項１又は請求項２に記載の隅棟瓦。
【発明の詳細な説明】
【０００１】
【発明の属する技術分野】
本発明は、屋根の隅棟部に葺工される隅棟瓦に関する。
【０００２】
【従来の技術】
従来、この種の隅棟部には、実公平７−２１６９８号の隅棟瓦がある。その概要を、図１０、図１１に示しかつ説明する。図において、瓦屋根の隅棟部を構成する隅棟瓦Ａ’は、隅棟部の勾配に対応して三角山状の直線的形態に本体Ｂ’を形成し、該本体Ｂ’における直線方向側の一端の頭部Ｃ’を前方へ三角状に延出し、かつ直線方向側の他端の尻部Ｄ’を有すること、及び前記本体Ｂ’の頂上に嵌合部Ｅ’を設け、かつこの本体Ｂ’の周辺が垂直端面Ｆ’となっている構成である。
【０００３】
【発明が解決しようとする課題】
前記構成の隅棟瓦Ａ’は、本体Ｂ’の周辺に垂直端面Ｆ’を設けてなる。従って、図１２（ａ）、（ｂ）に示す如く、本体Ｂ’の雨水ＲＷ（流れ）が、この垂直端面Ｆ’を伝って真下に到り、他の隅棟瓦Ａ’１（又は平板瓦Ｔ’）との葺き合せ面から毛細管現象で隅棟瓦Ａ’の裏面Ａ’３と他の隅棟瓦Ａ’１（又は平板瓦Ｔ’）の表面Ａ’２（Ｔ’２）に潜込むことが間々発生し、いわゆる誘水となる可能性が強い問題がある。
【０００４】
また前記構成の隅棟瓦Ａ’の嵌合部Ｅ’による他の隅棟瓦Ａ’１との嵌合関係、又は図示しない隅棟瓦で、かつ前記嵌合部Ｅ’を備えない形状では、山形状の瓦本体の表面山形と他の隅棟瓦の瓦本体の裏面山形との嵌合関係、となる。従って、前記の嵌合関係が、隅棟瓦のズレ防止となる。しかしながら、前記の嵌合関係では、耐震、耐風に対して十分でなく、いわゆるズレ防止としては、改良の余地がある。
【０００５】
【課題を解決するための手段】
本発明は、雨水の潜込み防止を図りつつ、ズレ防止も同時に達成される隅棟瓦を提供する。
【０００６】
請求項１の発明は、平行四辺形の両流れ表面を備えた偏平山形状の瓦本体と、この瓦本体に設けた、前垂れを有する截頭三角形状の頭部と、前記瓦本体の表面角部の三方向を囲繞する曲面段付部と、で構成された隅棟に葺設される隅棟瓦であって、前記前垂れの袖側裏面の係止爪を、前記曲面段付部の上隅角及び曲面に係合することで、上下方向の隣接する隅棟瓦の連係を図るとともに、前記曲面段付部の凹状の曲面により上昇力が付与された雨水を当該曲面段付部の外方に流下することを特徴とする構造である。
【０００７】
本発明は葺設時の瓦ズレ及び棟筋の蛇行をカバーし、前記の潜込み防止等が達成される隅棟瓦を提供する。
【０００８】
請求項２の発明は、平行四辺形の両流れ表面を備えた偏平山形状の瓦本体と、この瓦本体に設けた、前垂れを有する截頭三角形状の頭部と、前記瓦本体の表面角部の三方向を囲繞する曲面段付部と、前記瓦本体の頂上に設けた棟筋帯と、で構成された隅棟に葺設される隅棟瓦であって、前記前垂れの袖側裏面の係止爪を、前記曲面段付部の上隅角及び曲面に係合することで、上下方向の隣接する隅棟瓦の連係を図るとともに、
前記曲面段付部の凹状の曲面により上昇力が付与された雨水を当該曲面段付部の外方に流下することを特徴とする隅棟瓦である。
【０００９】
また本発明は、隅棟瓦の隅棟方向の雨水の潜込み防止が達成される隅棟瓦を提供する。
【００１０】
請求項３の発明は、瓦本体の尻側に水切り突条と水切り凹条を設ける構成である。
【００１１】
【発明の実施の形態】
本発明の葺設の一例を説明する。屋根Ｒに平板瓦Ｔを順次葺設していき、通常は隅棟部又は棟部の葺設が行われる。そこで、本発明の隅棟部の葺設を図６〜図９を基に説明する。葺設の順序を図８を参照に説明すると、平板瓦Ｔが葺設された状態で、軒先の平板瓦Ｔに隅棟瓦を葺設すると、当該隅棟瓦の前垂れは平板瓦Ｔの前面Ｔ１に突出されるとともに、当該前垂れの袖側端面は、平板瓦Ｔの頭部前面Ｔ１に添接され、かつその曲面段付部の裏面は平板瓦Ｔの表面Ｔ２に添接される。このようにして、葺設された隅棟瓦には他の隅棟瓦が葺設されるが、図６〜図８に示す如く、隅棟瓦の曲面段付部の上隅角及び曲面に他の隅棟瓦の前垂れの係止爪が係止される構造である。従って、この係止される上隅角及び曲面と係止爪とによる係止構造によって、当該隅棟瓦と他の隅棟瓦との耐震、耐風のズレ防止（以下、ズレ防止とする。）に役立つ特徴がある。このズレ防止には、隅棟瓦の瓦本体の扁平山形状と、隅棟瓦の前垂れ頭側裏面の逆扁平山形状との嵌合関係も役立っている。前記上隅角及び曲面と係止爪との関係を前記各図イで、また扁平山形状と逆扁平山形状との関係を前記各図ロで、それぞれ示す。従って、在来の瓦本体の表面山形と裏面山形とによる嵌合関係によるズレ防止に比して、優れた効果が期待できる。
【００１２】
次に曲面段付部の曲面と在来の垂直端面Ｆ’との相違を説明すると、本発明では、図９（ａ）、（ｂ）に示す如く、曲面を有することから、この曲面で生成される上昇力が、雨水に付与される効果があって、当該雨水が矢印の如く、飛沫するが如く、上昇して曲面段付部の外方に流下することが想定できる。従って、雨水は立上端面を垂れることは少なく、いわゆる隅棟瓦と他の隅棟瓦との間における潜込み防止及び当該隅棟瓦と平板瓦との間における潜込み防止に役立つ特徴がある。しかしながら、従来の葺設では、図１２（ａ）、（ｂ）に示す垂直端面Ｆ’を伝って真下に到り、他の隅棟瓦Ａ’１（又は平板瓦Ｔ’）との葺き合せ面から毛細管現象で隅棟瓦Ａ’の裏面Ａ’３と他の隅棟瓦Ａ’１（又は平板瓦Ｔ’）の表面Ａ’２（Ｔ’２）に潜込むことが間々発生する課題がある。
【００１３】
【実施例】
以下、本発明の一実施例を説明する。
【００１４】
本発明では、隅棟瓦Ａ及び他の隅棟瓦Ａ１は、次の構成となっている。尚、他の隅棟瓦Ａ１は同じ構成であり隅棟瓦Ａで説明する。
【００１５】
隅棟瓦Ａは、平行四辺形の両流れ表面１１１、１１１ａを備えた扁平山形状の瓦本体１と、瓦本体１の截頭三角形状の頭部１ａに設けた前垂れ２と、前記瓦本体１の表面角部の頭部１ａ、袖部１ｂ、１ｃ（表面角部の三方向とする。）に設けた曲面段付部３と、前記瓦本体１の頂上１ｅに設けた棟筋帯４と、で構成されている。図中１ｄは瓦本体１の尻部を示す。
【００１６】
曲面段付部３は、図９に示す如く、上隅角３１１と、曲面３１２と、立上端面３１３及び裏面３１４と、で構成されており、当該曲面３１２を利用して雨水Ｘに飛沫力Ｘ１を付与する。また前垂れ２の袖側裏面２ａ、２ａには係止爪２１１、２１１が設けられており、当該係止爪２１１、２１１は曲面段付部３の上隅角３１１と曲面３１２に係止される構成である。従って、ズレ防止の一部を担う。
【００１７】
図中２ｂは前垂れ２の頭部１ａの頭側裏面を示す。この頭側裏面２ｂは逆扁平山形状であり、瓦本体１の両流れ表面１１１、１１１ａの扁平山形状に嵌合される。
【００１８】
尚、瓦本体１の尻部１ｄには、水切り突条５と水切り凹条６とが設けられており、図９に示す二段の水切り効果が期待できる。
【００１９】
【発明の効果】
本発明は、瓦本体の表面角部の三方向を囲繞する曲面段付部に、上隅角及び曲面を設ける構成である。従って、雨水の潜込み防止に役立つ効果がある。
【００２０】
本発明は、前垂れの袖側裏面に係止爪を設け、この係止爪を曲面段付部の上隅角及び曲面に係止する構成である。従って、耐震・耐風に有益であり、いわゆるズレ防止に役立つ効果がある。
【００２１】
本発明は、瓦本体の頂上に棟筋帯を設ける構成である。従って、葺設時の瓦のズレ及び棟筋の蛇行防止に役立つ効果がある。
【図面の簡単な説明】
【図１】本発明の全体を示す表面斜視図である。
【図２】本発明の全体を示す裏面斜視図である。
【図３】本発明の平面図である。
【図４】本発明の裏面図である。
【図５】本発明の側面図である。
【図６】本発明の葺設状態を頭部より見た状態の正面図である。
【図７】本発明の葺設状態を尻部より見た状態の正面図である。
【図８】本発明の葺設状態の全体を示す縮尺斜視図である。
【図９】本発明の隅棟瓦の雨水の動きを示す拡大断面図であり、（ａ）は隅棟瓦と他の隅棟瓦との関係を示す。（ｂ）は隅棟瓦と平板瓦との関係を示す。
【図１０】従来の隅棟瓦の一例を示す平面図である。
【図１１】従来の隅棟瓦の他の一例を示す平面図である。
【図１２】従来の隅棟瓦の雨水の動きを示す拡大断面図であり、（ａ）は隅棟瓦と他の隅棟瓦との関係を示す。（ｂ）は隅棟瓦と平板瓦との関係を示す。
【符号の説明】
Ａ          隅棟瓦
Ａ１        他の隅棟瓦
Ｒ          屋根
ＲＷ        雨水
Ｔ          平板瓦
Ｔ１        前面
Ｔ２        表面
１          瓦本体
１ａ        頭部
１ｂ        袖部
１ｃ        袖部
１ｄ        尻部
１ｅ        頂上
１１１      表面
１１１ａ    表面
２          前垂れ
２ａ        袖側裏面
２ｂ        頭側裏面
２１１      係止爪
３          曲面段付部
３１１      上隅角
３１２      曲面
３１３      立上端面
３１４      裏面
４          棟筋帯
５          水切り突条
６          水切り凹条
Ａ’        隅棟瓦
Ａ’１      他の隅棟瓦
Ａ’２      表面
Ａ’３      裏面
Ｂ’        本体
Ｃ’        頭部
Ｄ’        尻部
Ｅ’        嵌合部
Ｆ’        垂直端面
Ｔ’        平板瓦
Ｔ’２      表面
Ｘ          雨水
Ｘ１        飛沫力
【図１】
0003577690.tif 000002
【図２】
0003577690.tif 000003
【図３】
0003577690.tif 000004
【図４】
0003577690.tif 000005
【図５】
0003577690.tif 000006
【図６】
0003577690.tif 000007
【図７】
0003577690.tif 000008
【図８】
0003577690.tif 000009
【図９】
0003577690.tif 000010
【図１０】
0003577690.tif 000011
【図１１】
0003577690.tif 000012
【図１２】
0003577690.tif 000013